(57)【要約】【課題】結束バンドを強く締め付けることができ、そのまま余剰部分を根元で容易に切断できる、結束バンド用カッターを提供する。【解決手段】結束バンド用カッター１０は、上記バンド部５２が挿通される筒状体１１を備え、上記筒状体１１の内部には、上記バンド部５２に設けられた係止溝５２Ａに噛み合う係止爪１２が設けられ、上記筒状体１１の入口側開口１６Ａには、当該筒状体１１に挿通されたバンド部５２に切れ目を入れる切刃１３を備えている。  バンド部５２の余剰部分を筒状体１１に挿通させる。筒状体１１の係止爪１２がバンド部５２の係止溝５２Ａと噛み合って筒状体１１は戻らない。筒状体１１を結束バンド５０のヘッド部５１に押し付けて締め付け、上記切刃１３でバンド部５２に切れ目を入れ、筒状体１１をひねることにより余剰部分を切り離す。【選択図】図２
2018057610.tif 000002
【特許請求の範囲】
【請求項１】
ヘッド部とバンド部を備えた結束バンドの締め付けと余剰部分の切断を行う結束バンド用カッターであって、
上記結束バンド用カッターは、上記バンド部が挿通される筒状体を備え、
上記筒状体の内部には、上記バンド部に設けられた係止溝に噛み合う係止爪が設けられ、
上記筒状体の一端側の開口には、当該筒状体に挿通されたバンド部に切れ目を入れる切刃が設けられている
ことを特徴とする結束バンド用カッター。
【請求項２】
上記切刃が、
上記筒状体に挿通されたバンド部に向かって弾性変形が可能な弾性変形部に設けられている
請求項１記載の結束バンド用カッター。
【発明の詳細な説明】
【技術分野】
【０００１】
本発明は、結束バンドを締め付けて根元で容易に切断できる結束バンド用カッターに関するものである。
【背景技術】
【０００２】
結束バンドは、たとえば電線や針金などを束ねて縛る際にひろく用いられている。上記結束バンドを切断する技術に関する先行文献として、本出願人は、下記の特許文献１〜２を把握している。
【０００３】
上記特許文献１にはつぎの記載がある。
［請求項１］
電線等の被結束物に対してループ状に巻き回して結束するとともに表面に複数の凸状歯をラック状に形成した長尺の結束バンドと、該結束バンドをその裏面を合わせて重ねた状態で挿通させる開口部を有し且つ該開口部内の一方の対向壁からそれぞれ前記開口部に挿通された結束バンドの前記凸状歯と係合する一対の爪部材をハの字形に突設した止め具とを組み合せてなる電線等の結束具において、上記止め具の開口部の開口端のうち爪部材の先端側に臨む開口端の両側には平行なリブを突出形成し、これら両側のリブの間に上記結束バンドのはみ出し部を切断するカッターを通過させる空間を形成したことを特徴とする電線等の結束具。
（考案の作用、効果）
前記構成によれば、結束バンドの先端を、止め具の開口部を貫通させて引き出し、電線等の被結束物にループ状に巻き回し、再び上記一端を止め具の開口部に逆方向に挿入して結束バンドをその裏面を合わせて重ねた状態で開口部内に挿通させ、凸状歯を止め具の一方の爪部材の爪部に係合させる。その後、結束バンドの元側を引き締めてその凸状歯を止め具の他方の爪部材の爪部に係合させることにより結束する。
結束バンドの不要部分はカッターを止め具の開口端に設けられた両側リブ間の空間を通過移動させて切断する。
このように、止め具のリブの間をカッターが通過することにより結束バンドの不要部分が切断されたときに、その結束部の切断面は少なくともリブの突出端面よりも内側に位置する。したがって、止め具のリブの突出端面に沿って手を動かすようなことがあっても、手の表面に結束バンドの切断面が当たることがないから、手が傷つくのを防止することができる。したがって、安全であるほか、出血によって商品を汚損して商品価値を損なうことも未然に防止することができる。
【０００４】
上記特許文献２にはつぎの記載がある。
［要約］
［課題］
狭隘な場所にも使用でき、配線を損傷せずに結束バンドを切断できる、結束バンドキャップを提供する。
［解決手段］
結束バンドキャップ１は、結束バンド１００を切断するためのものであり、主として、筒状のキャップ２の内周面に、結束バンド１００を切断するカッター３と、結束バンドの移動を規制する規制ピン４とを備えている。結束バンドキャップ１は、結束バンド１００が、キャップ２内で湾曲させた内側に、カッター３と規制ピン４とが位置する形で取り付けられており、この状態で結束バンド１００が配線の束に締めつけられる。そして、規制ピン４を引き抜き、キャップ２を、軸方向に移動させることで、結束バンド１００がカッター３により切断される。
［０００９］
この発明によれば、結束バンドを切断する際には、規制ピンを本体から引き抜いて、本体を結束バンドの湾曲部方向に引っ張ることにより、切断部により結束バンドの湾曲部が切断される。
【先行技術文献】
【特許文献】
【０００５】
【特許文献１】実公平７−５４６４７号公報
【特許文献２】特開２０１６−１１６８０９号公報
【発明の開示】
【発明が解決しようとする課題】
【０００６】
上記特許文献１は、結束バンドのはみ出し部を切断させるため、カッターを空間に通過移動させる必要がある。このため、カッターの取り扱いを誤って手指を傷つけるおそれがある。このように、カッターの扱いに危険が伴い、作業には慎重を要する。また、結束バンドの締め付けは手指を使って行う必要がある。このため、締め付けのときに手指を痛めやすく、締め付けが弱ければ十分に結束できない。
【０００７】
上記特許文献２は、結束バンド１００で結束された配線などを解除するときに、締め付けた結束バンド１００を切断するためのものであり、余剰のバンド部１０１を切断するものではない。また、結束バンド１００を切断するためのカッター３以外にキャップ２および規制ピン４を必要とする構造であり、構造的に複雑である。また、結束バンドの締め付けは手指を使って行う必要がある。このため、締め付けのときに手指を痛めやすく、締め付けが弱ければ十分に結束できない。
【０００８】
本発明は、上記のような事情に鑑み、つぎの目的を持ってなされたものである。
結束バンドを強く締め付けることができ、そのまま余剰部分を根元で容易に切断できる、結束バンド用カッターを提供する。
【課題を解決するための手段】
【０００９】
上記目的を達成するため、請求項１記載の結束バンド用カッターは、下記の構成を採用した。
ヘッド部とバンド部を備えた結束バンドの締め付けと余剰部分の切断を行う結束バンド用カッターであって、
上記結束バンド用カッターは、上記バンド部が挿通される筒状体を備え、
上記筒状体の内部には、上記バンド部に設けられた係止溝に噛み合う係止爪が設けられ、
上記筒状体の一端側の開口には、当該筒状体に挿通されたバンド部に切れ目を入れる切刃が設けられている。
【００１０】
請求項２記載の結束バンド用カッターは、請求項１記載の構成に加え、下記の構成を採用した。
上記切刃が、
上記筒状体に挿通されたバンド部に向かって弾性変形が可能な弾性変形部に設けられている。
【発明の効果】
【００１１】
請求項１記載の結束バンド用カッターは、上記バンド部が挿通される筒状体を備えている。上記筒状体の内部には、上記バンド部に設けられた係止溝に噛み合う係止爪が設けられ、上記筒状体の一端側の開口には、当該筒状体に挿通されたバンド部に切れ目を入れる切刃が設けられている。
上記ヘッド部にバンド部を挿入して電線などの結束対象物を結束するときに、ヘッド部を通って出てきたバンド部の余剰部分となるところを、上記筒状体に挿通させる。このとき、筒状体に対してその切刃の側からバンド部を挿入する。この状態で、筒状体の係止爪がバンド部の係止溝に噛み合って、筒状体は戻らない。そして、上記筒状体を通って出てきたバンド部の余剰部分を手指で把持して引っ張るとともに、筒状体を結束バンドのヘッド部に押し付けることにより、結束バンドの結束状態を締め付ける。結束バンドを十分に締め付けたところで、上記切刃でバンド部に切れ目を入れる。さらに、筒状体を把持してひねることにより、バンド部の余剰部分を切り離す。上記筒状体は、切り離したバンド部の余剰部分から取り外して再使用する。このようにして、ヘッド部とバンド部を備えた結束バンドを強く締め付けることができ、そのまま余剰部分を根元で容易に切断できる。
したがって、従来技術のように締め付けのときに手指を痛めず、締め付けが弱くならない。また、従来技術のようにカッターの取り扱いを誤って手指を傷つける危険がなく、作業が容易である。また、構造的にも極めて簡素である。
【００１２】
請求項２記載の結束バンド用カッターは、上記切刃が、上記筒状体に挿通されたバンド部に向かって弾性変形が可能な弾性変形部に設けられている。
このため、バンド部の余剰部分を切断するときは、上記弾性変形部を手指で押圧することにより、簡単にバンド部に切刃を食い込ませ、バンド部に切れ目を入れることができる。
【図面の簡単な説明】
【００１３】
【図１】一般的な結束バンドの一例を示す断面図である。
【図２】本発明の一実施形態の結束バンド用カッターを示す図である。
【図３】上記結束バンド用カッターの使用状態を説明する図である。
【図４】上記結束バンド用カッターの使用状態を説明する図である。
【図５】上記結束バンド用カッターの使用状態を説明する図である。
【図６】上記結束バンド用カッターの使用状態を説明する図である。
【発明を実施するための形態】
【００１４】
つぎに、本発明を実施するための形態を説明する。
【００１５】
〔結束バンドの構造〕
図１は、一般的な結束バンドの一例を示す図である。このような結束バンドは、たとえば電線や針金などを束ねて縛る際にひろく用いられる。
【００１６】
この結束バンド５０は、合成樹脂により一体成形された長尺状のもので、ヘッド部５１と、バンド部５２と、テール部５３とを備えて構成されている。
【００１７】
上記ヘッド部５１は、結束バンド５０の一端部に設けられたブロック状の部分であり、開口５１Ａと係止爪５１Ｂを有する。
上記開口５１Ａは、テール部５３が差し込まれてバンド部５２を挿通させるものである。上記開口５１Ａは、ブロック状のヘッド部５１において、結束バンド５０の長さ方向に対してほぼ直交する方向にバンド部５２を挿通させるように開口している。
上記係止爪５１Ｂは、バンド部５２に形成された係止溝５２Ａとラチェット状に噛みあうものである。これにより、バンド部５２は開口５１Ａを一方向に通過するが逆戻りしないようになっている。
【００１８】
上記バンド部５２は、上記係止爪５１Ｂに対してラチェット状に噛み合う係止溝５２Ａが、バンド部５２の長さ方向に一定ピッチで多数ならぶように形成されている。上記係止溝５２Ａは、上記開口５１Ａに対する挿入側（図示の下側である）に形成されている。上記バンド部５２のヘッド部５１と反対側の端部には、係止溝５２Ａがなくて少し先細り状のテール部５３が形成されている。
【００１９】
上記ヘッド部５１の開口５１Ａに対し、上記テール部５３から上記バンド部５２を挿入し、上記係止爪５１Ｂに対して上記係止溝５２Ａをラチェット状に噛み合わせて結束する。
【００２０】
〔第１実施形態〕
図２は、本発明の結束バンド用カッターの一実施の形態を示す図である。
【００２１】
〔全体構造〕
この結束バンド用カッター１０は、ヘッド部５１とバンド部５２を備えた結束バンド５０の締め付けと余剰部分の切断を行うものである。上記結束バンド５０は図１に例示したものである。
【００２２】
〔筒状体〕
上記結束バンド用カッター１０は、上記バンド部５２が挿通される筒状体１１を備えている。上記筒状体１１はこの例ではプラスチックから形成されている。
上記筒状体１１の中空部は、上記バンド部５２が挿通される挿通路１６として機能する。上記バンド部５２は断面四角形状であり、それに対応して上記挿通路１６も通路形状は四角形状を呈している。
上記挿通路１６は、バンド部５２を挿入する入口側開口１６Ａの上下部分に、バンド部５２を挿入するときのガイド面として機能する斜面１７Ａ，１７Ｂが形成されている。
【００２３】
〔係止爪〕
上記筒状体１１の内部には、上記バンド部５２に設けられた係止溝５２Ａに噛み合う係止爪１２が設けられている。
上記係止爪１２は、上記挿通路１６の内面に設けられ、上記挿通路１６のバンド部５２の余剰部分が出てくる出口側開口１６Ｂの近くに形成されている。
【００２４】
〔切刃〕
上記筒状体１１の一端側の開口（入口側開口１６Ａである）には、当該筒状体１１に挿通されたバンド部５２に切れ目を入れる切刃１３を備えている。
上記切刃１３は金属製である。
【００２５】
上記切刃１３は、上記筒状体１１に挿通されたバンド部５２に向かって弾性変形が可能な弾性変形部１４に設けられている。
つまり、上記筒状体１１には、バンド部５２の入口側開口１６Ａの上側に形成された斜面１７Ａの上部に、上記挿通路１６に沿って延びる細溝１８が形成され、上記細溝１８より上側の部分が、弾性変形部１４に形成されている。つまり、上記細溝１８が存在することにより、細溝１８より上側の部分がカンチレバー構造となり、弾性変形しやすい弾性変形部１４になっている。
【００２６】
上記切刃１３は、カンチレバー構造の弾性変形部１４の先端部、つまり挿通路１６の入口側開口１６Ａの近傍で斜面１７Ａ，１７Ｂの開口近傍に、取り付けられる。上記切刃１３は、根元が弾性変形部１４に固定され、刃先が挿通路１６に向かうよう配置される。
上記切刃１３は、弾性変形部１４に力が加わらない通常の状態では、刃先が挿通路１６に挿通されるバンド部５２に干渉しない位置になるよう取り付けられる。また、弾性変形部１４に図示の上から下に向かう応力が加わると、弾性変形部１４の弾性変形により切刃１３が挿通路１６に移動し、その刃先が挿通路１６に挿通されるバンド部５２に食い込んで、バンド部５２に切れ目を入れることができる。
【００２７】
上記切刃１３は、断面Ｌ字状であり、Ｌ字の片側に刃先が設けられている。上記切刃１３は、弾性変形部１４の先端の上部に設けられた切欠部に、刃先のない根元側が接着等によって固定されている。このような構造を採用することにより、切刃１３を取り付けやすく、かつ弾性変形部１４と切刃１３との接着面積を確保し、固定強度を確保できる。
【００２８】
〔使用方法〕
図３〜図６は、上記結束バンド用カッター１０の使用状態を説明する図である。
【００２９】
上記結束バンド５０は、上記ヘッド部５１の開口５１Ａに対し、上記テール部５３から上記バンド部５２を挿入し、上記係止爪５１Ｂに対して上記係止溝５２Ａをラチェット状に噛み合わせ、電線等の被結束物２０を結束する。
【００３０】
図３に示すように、被結束物２０を結束した状態で、ヘッド部５１の開口５１Ａを通過したバンド部５２の余剰部分に、結束バンド用カッター１０を取り付ける。上記バンド部５２の先端のテール部５３を、筒状体１１の入口側開口１６Ａから挿通路１６に挿入する。
【００３１】
図４に示すように、バンド部５２の余剰部分を筒状体１１の挿通路１６に挿通させる。このとき、バンド部５２の係止溝５２Ａが、筒状体１１の係止爪１２にラチェット状にかみ合い、筒状体１１は戻らない。テール部５３は筒状体１１の出口側開口１６Ｂから出てくる。
【００３２】
上記筒状体１１を通って出てきたバンド部５２の余剰部分を手指で把持して引っ張るとともに、筒状体１１を結束バンド５０のヘッド部５１に押し付ける。これにより、結束バンド５０を締め付ける。
【００３３】
図５に示すように、結束バンド５０を十分に締め付けたところで、上記切刃１３でバンド部５２に切れ目を入れる。このとき、図示の矢印の方向に弾性変形部１４を押圧すると、弾性変形部１４が弾性変形して切刃１３が挿通路１６に移動し、その刃先が挿通路１６に挿通されたバンド部５２に食い込んで、バンド部５２に切れ目が入る。
【００３４】
図６に示すように、バンド部５２に切れ目が入った状態で筒状体１１を把持してひねることにより、バンド部５２が切れ目の部分から切断され、バンド部５２の余剰部分を切り離す。
【００３５】
上記筒状体１１に残ったバンド部５２の余剰部分は、図示の矢印の方向に引っ張ることにより、容易に外れる。このように、上記筒状体１１は、切り離したバンド部５２の余剰部分から取り外して再使用する。
【００３６】
〔実施形態の作用効果〕
以上のように、上記実施形態の結束バンド用カッター１０は、上記バンド部５２が挿通される筒状体１１を備えている。上記筒状体１１の内部には、上記バンド部５２に設けられた係止溝５２Ａに噛み合う係止爪１２が設けられ、上記筒状体１１の一端側の開口には、当該筒状体１１に挿通されたバンド部５２に切れ目を入れる切刃１３が設けられている。
上記ヘッド部５１にバンド部５２を挿入して電線などの結束対象物を結束するときに、ヘッド部５１を通って出てきたバンド部５２の余剰部分となるところを、上記筒状体１１に挿通させる。このとき、筒状体１１に対してその切刃１３の側からバンド部５２を挿入する。この状態で、筒状体１１の係止爪１２がバンド部５２の係止溝５２Ａに噛み合って、筒状体１１は戻らない。そして、上記筒状体１１を通って出てきたバンド部５２の余剰部分を手指で把持して引っ張るとともに、筒状体１１を結束バンド５０のヘッド部５１に押し付けることにより、結束バンド５０の結束状態を締め付ける。結束バンド５０を十分に締め付けたところで、上記切刃１３でバンド部５２に切れ目を入れる。さらに、筒状体１１を把持してひねることにより、バンド部５２の余剰部分を切り離す。上記筒状体１１は、切り離したバンド部５２の余剰部分から取り外して再使用する。このようにして、ヘッド部５１とバンド部５２を備えた結束バンド５０を強く締め付けることができ、そのまま余剰部分を根元で容易に切断できる。
したがって、従来技術のように締め付けのときに手指を痛めず、締め付けが弱くならない。また、従来技術のようにカッターの取り扱いを誤って手指を傷つける危険がなく、作業が容易である。また、構造的にも極めて簡素である。
【００３７】
上記実施形態の結束バンド用カッター１０は、上記切刃１３が、上記筒状体１１に挿通されたバンド部５２に向かって弾性変形が可能な弾性変形部１４に設けられている。
このため、バンド部５２の余剰部分を切断するときは、上記弾性変形部１４を手指で押圧することにより、簡単にバンド部５２に切刃１３を食い込ませ、バンド部５２に切れ目を入れることができる。
【００３８】
〔変形例〕
以上は本発明の特に好ましい実施形態について説明したが、本発明は図示した実施形態に限定する趣旨ではなく、各種の態様に変形して実施することができ、本発明は各種の変形例を包含する趣旨である。
【００３９】
上記結束バンド５０は、図１に例示した形状に限定するものではなく、バンド部をヘッド部に挿通させて締め付けをおこなう結束バンドであれば、各種の形状・態様のものに適用することができる。
【符号の説明】
【００４０】
１０：結束バンド用カッター
１１：筒状体
１２：係止爪
１３：切刃
１４：弾性変形部
１６：挿通路
１６Ａ：入口側開口
１６Ｂ：出口側開口
１７Ａ：斜面
１７Ｂ：斜面
１８：細溝
２０：被結束物
５０：結束バンド
５１：ヘッド部
５１Ａ：開口
５１Ｂ：係止爪
５２：バンド部
５２Ａ：係止溝
５３：テール部
【図１】
2018057610.tif 000003
【図２】
2018057610.tif 000004
【図３】
2018057610.tif 000005
【図４】
2018057610.tif 000006
【図５】
2018057610.tif 000007
【図６】
2018057610.tif 000008